(57)【要約】【課題】紙の資源を無駄にすることなく宝くじの販売ができる宝くじ情報販売システムを提供することを目的とする。【解決手段】カード情報読取手段がカードのカード識別情報記憶部からカード識別情報を読み取り、抽せん番号確定手段が販売する宝くじの抽せん番号を確定する。そして、販売宝くじ記憶手段が読み取ったカード識別情報と確定した抽せん番号とを対応付けて記憶し、カード面書換え手段がカード面を、確定した抽せん番号に書き換える。そして抽せん番号記録手段が確定した抽せん番号をカードの抽せん番号記憶部へ記録する。【選択図】  図１
2004355571.tif 000002
【特許請求の範囲】
【請求項１】
カード識別情報または購入者識別情報を記憶する識別情報記憶部と宝くじの抽せん番号を記憶する抽せん番号記憶部と書換えができるカード面とを有するカードの前記識別情報記憶部から前記カード識別情報または前記購入者識別情報のいずれか一方を読み取るカード情報読取手段と、
販売する宝くじの抽せん番号を確定する抽せん番号確定手段と、
前記読み取ったカード識別情報または購入者識別情報と前記確定した抽せん番号とを対応付けて記憶する販売宝くじ記憶手段と、
前記カード面を、前記確定した抽せん番号に書き換えるカード面書換え手段と、
前記確定した抽せん番号を前記カードの抽せん番号記憶部へ記録する抽せん番号記録手段とを備える
宝くじ情報販売システム。
【請求項２】
前記カード識別情報または前記購入者識別情報と認証情報とを対応付けて記憶する購入者情報記憶手段と、
前記カード識別情報または前記購入者識別情報と前記認証情報とが前記購入者情報記憶手段に対応付けられて記録されている場合に前記カードを用いた宝くじの販売または宝くじの当せん確認の何れかの利用を受付ける利用受付手段と、
を備えることを特徴とする請求項１に記載の宝くじ情報販売システム。
【請求項３】
前記カードが購入ルールまたは購入ルール識別情報の何れかを記憶したルール情報記憶部を有し、
前記抽せん番号確定手段は、前記購入ルールまたは前記購入ルール識別番号の何れかに基づいて前記抽せん番号を確定する
ことを特徴とする請求項１または請求項２のいずれかに記載の宝くじ情報販売システム。
【請求項４】
前記確定した抽せん番号に基づいて宝くじ券の原本を作成する原本作成手段を備えることを特徴とする請求項１から請求項３の何れかに記載の宝くじ情報販売システム。
【請求項５】
宝くじ売り場端末と宝くじ販売管理装置とが通信ネットワークを介して接続され、
前記カード情報読取手段と前記カード面書換え手段と前記抽せん番号記録手段とを宝くじ売り場端末が備え、
前記抽せん番号確定手段と前記販売宝くじ記憶手段と前記利用受付手段とを宝くじ販売管理装置が備える
ことを特徴とする請求項１から請求項４のいずれかに記載の宝くじ情報販売システム。
【発明の詳細な説明】
【０００１】
【発明の属する技術分野】
この発明は、コンピュータシステムに係り、特に、宝くじ情報販売システムに関するものである。
【０００２】
【従来の技術】
従来、宝くじが数字選択式宝くじの場合であれば、購入者の選択した数字を印刷した用紙を宝くじ券として手渡すことによって宝くじの販売が行われている。また普通宝くじの販売の場合であれば、予め券面に抽せん番号や組番号が印刷された宝くじ券を手渡すことによって宝くじの販売が行われている。そして、購入者に渡される宝くじ券は原本として扱われ、宝くじが当せんした場合には、この宝くじ原本と引き換えに当せん金が支払われることとなる。ここで、販売管理元の指揮下で工場において宝くじが製造（印刷）され、その製造された宝くじが売り場に配送されて、当該売り場で一般顧客に販売される際の技術が公開されている（特許文献１参照）。
【０００３】
【特許文献１】
特開２００２−１２３６４４号公報
【０００４】
【発明が解決しようとする課題】
しかしながら、上述の宝くじの販売方法では、宝くじ原本（宝くじ券や抽せん番号を印刷した用紙）を印刷または製造して購入者に渡さなければならないので、宝くじ原本のための用紙が大量に必要となる。また宝くじはハズレとなる場合が多いが、購入者に渡された宝くじの原本がハズレ券となった場合には再利用する価値が無いのでただの紙切れとなり紙の資源が無駄となってしまうという問題があった。なお、宝くじの原本は法律的に必ず作成しなければならないという法律的制約が存在する。
そこでこの発明は、紙の資源を無駄にすることなく宝くじの販売ができる宝くじ情報販売システムを提供することを目的としている。
【０００５】
【課題を解決するための手段】
本発明は、上述の課題を解決すべくなされたもので、カード識別情報または購入者識別情報を記憶する識別情報記憶部と宝くじの抽せん番号を記憶する抽せん番号記憶部と書換えができるカード面とを有するカードの前記識別情報記憶部から前記カード識別情報または前記購入者識別情報のいずれか一方を読み取るカード情報読取手段と、販売する宝くじの抽せん番号を確定する抽せん番号確定手段と、前記読み取ったカード識別情報または購入者識別情報と前記確定した抽せん番号とを対応付けて記憶する販売宝くじ記憶手段と、前記カード面を、前記確定した抽せん番号に書き換えるカード面書換え手段と、前記確定した抽せん番号を前記カードの抽せん番号記憶部へ記録する抽せん番号記録手段とを備える宝くじ情報販売システムである。
【０００６】
上述の構成によれば本発明は、カード情報読取手段がカードの識別情報記憶部からカード識別情報または購入者識別情報のいずれかを読み取り、抽せん番号確定手段が販売する宝くじの抽せん番号を確定する。そして、販売宝くじ記憶手段が読み取ったカード識別情報または購入者識別情報と確定した抽せん番号とを対応付けて記憶し、カード面書換え手段がカード面を、確定した抽せん番号に書き換える。そして抽せん番号記録手段が確定した抽せん番号をカードの抽せん番号記憶部へ記録する。
これにより、カードの抽せん番号記録手段に抽せん番号が記録され、またカード面に抽せん番号が書き込まれるので、宝くじ原本ではなく宝くじのデータを会員に渡すことにより宝くじを販売することができ、また、宝くじ券を製造する必要が無くなる。また、ハズレ宝くじ券などのゴミを出さなくて済み、紙の無駄を減らすことができる。
【０００７】
また本発明は、上述の宝くじ情報販売システムが、前記カード識別情報または前記購入者識別情報と認証情報とを対応付けて記憶する購入者情報記憶手段と、前記カード識別情報または前記購入者識別情報と前記認証情報とが前記購入者情報記憶手段に対応付けられて記録されている場合に前記カードを用いた宝くじの販売または宝くじの当せん確認の何れかの利用を受付ける利用受付手段とを備えることを特徴とする。これにより、カードを利用して宝くじの販売または宝くじの当せん確認を行なう購入者の認証を行うことができる。
【０００８】
また本発明は、上述の宝くじ情報販売システムが、前記カードが購入ルールまたは購入ルール識別情報の何れかを記憶したルール情報記憶部を有し、前記宝くじ情報販売システムにおいて、前記抽せん番号確定手段は、前記購入ルールまたは前記購入ルール識別番号の何れかに基づいて前記抽せん番号を確定することを特徴とする。
これにより、カードに購入ルールまたは購入ルール識別情報を記録させておくことで、購入者は宝くじを繰り返し購入する際に、どの宝くじのどの抽せん番号を買うかなどの情報を何度も指定しなくてよい。
【０００９】
また本発明は、上述の宝くじ情報販売システムが、前記確定した抽せん番号に基づいて宝くじ券の原本を作成する原本作成手段を備えることを特徴とする。これにより、宝くじ原本を購入者に渡すことなく宝くじの販売を行うことができる。
【００１０】
また本発明は、上述の宝くじ情報販売システムが、宝くじ売り場端末と宝くじ販売管理装置とが通信ネットワークを介して接続され、前記カード情報読取手段と前記カード面書換え手段と前記抽せん番号記録手段とを宝くじ売り場端末が備え、前記抽せん番号確定手段と前記販売宝くじ記憶手段と前記利用受付手段とを宝くじ販売管理装置が備えることを特徴とする。
これにより、例えば各地に点在する宝くじ売り場端末で販売された宝くじの情報を宝くじ販売管理装置で管理する事ができる。
【００１１】
【発明の実施の形態】
以下、本発明の一実施形態による宝くじ情報販売システムを図面を参照して説明する。
図１は、この発明の一実施形態による宝くじ情報販売システムの構成を示す概略ブロック図である。
この図において符号１は販売する宝くじの販売管理を行う宝くじ販売管理装置である。また２は宝くじ売り場に設置された端末（以下、宝くじ売り場端末と呼ぶ）である。また３は宝くじの購入料金を購入者（以下、会員と呼ぶ）の口座から自動引き落としをする処理や、当せん金の会員の口座への振り込み処理を行なう電子決済サーバである。また４は通信ネットワークである。そして宝くじ販売管理装置１と宝くじ売り場端末２は通信ネットワーク４を介して接続されている。また電子決済サーバ３は専用回線を介して宝くじ販売管理装置１と接続されている。なお、電子決済サーバ３は通信ネットワーク４を介して宝くじ販売管理装置１と接続されるようにしてもよい。また、本実施形態においては通信ネットワーク４を介して宝くじ販売管理装置１と宝くじ売り場端末２が接続されているが、宝くじ販売管理装置１と宝くじ売り場端末２が同一の装置内に構成されるようにしてもよい。
【００１２】
そして、宝くじ売り場端末２は、販売する宝くじの抽せん番号と宝くじ種類を示す情報（以下、宝くじ種類識別番号と呼ぶ）を会員や宝くじ売り場の販売員から受付けると、当該抽せん番号と宝くじ種類識別番号とを宝くじ販売管理装置１へ送信する。そして宝くじ売り場端末２は、宝くじ販売管理装置１から販売許可情報を受信した後、リライト宝くじカードのメモリへ販売した宝くじの抽せん番号と宝くじ種類識別番号とを書き込む。またこのリライト宝くじカードはカード面に宝くじ情報を表示できるカードであり、宝くじ売り場端末２は、当該リライト宝くじカードのカード面に、販売した宝くじの抽せん番号を書き込む。ここで、抽せん番号は宝くじの組番号やユニット番号などを含むものであっても良い。なお、抽せん番号と宝くじ種類識別番号のメモリへの書き込み処理や、抽せん番号のカード面への書き込み処理の詳細については後述する。
【００１３】
また、宝くじ販売管理装置１において、符号１１は宝くじ売り場端末３からのアクセスを受付ける受付管理部（利用受付手段）である。また１２は抽せん番号に基づいて当該抽せん番号が当せんしているか否かを判定する当せん管理部である。また１３は会員へ販売する宝くじの確定処理や、宝くじ販売管理装置１が保管する宝くじの消し込み処理を行なう現物管理部（抽せん番号確定手段）である。また１４は宝くじの購入料金の会員の口座からの自動引き落とし指示をする処理や、当せん金の会員の口座への振り込み処理の指示を行う決済管理部である。また１５は宝くじ購入申し込みデータテーブル、および当せん結果データテーブル、および保管宝くじデータテーブルを記憶する宝くじデータベース（販売宝くじ記憶手段）である。また１６は宝くじを購入した会員の情報と会員に発行したリライト宝くじカードの識別情報と会員のパスワード（認証情報）とを対応付けて記憶した会員データベース（購入者情報記憶手段）である。また１７は宝くじの購入ルールを記憶する購入ルールデータベースである。また１８は宝くじの原本を作成する原本作成部（原本作成手段）である。尚、本実施形態においてはカード識別情報は会員番号であるとする。
【００１４】
また宝くじ売り場端末２において符号２０は宝くじ販売管理装置１との各種情報の送受信を行う送受信部である。また２１はリライト宝くじカードのカード面の表示を書き換える表示書換え部（カード面書換え手段）である。また符号２２はリライト宝くじカードが有するメモリに宝くじの抽せん番号や宝くじ種類識別番号やカード識別情報（会員番号）や会員情報を書き込む情報書き込み部（抽せん番号記録手段）である。
また２３はリライト宝くじカードのメモリに記録されている各種情報を読み取るカード情報読取部である。また２４はリライト宝くじカードの発行時に必要な会員の情報や、宝くじを購入する際の購入宝くじ情報の入力を受付ける情報受付部である。また図示していないが、宝くじ売り場端末２は、例えばタッチパネル式のモニタなどの表示部を備えている。そしてこの表示部において宝くじの選択や、抽せん番号の指定のできる購入画面を表示させて、会員から宝くじの購入を受付ける。
【００１５】
次にリライト宝くじカードについて説明する。図２はリライト宝くじカードのカード面を示す図である。
この図において符号（ａ）は会員の購入した宝くじが数字選択式宝くじである場合のカード面を示したリライト宝くじカードである。また（ｂ）は会員の購入した宝くじが普通宝くじの抽せん番号である場合のカード面を示したリライト宝くじカードである。そしてこのリライト宝くじカードはメモリｍ（識別情報記憶部、抽せん番号記憶部、ルール情報記憶部）を備えている。このメモリｍは、宝くじ情報記憶領域と、カード識別番号記憶領域と、会員情報記憶領域と、購入ルール記憶領域と、購入履歴記憶領域との領域を有しており、宝くじ情報記憶領域には抽せん番号と宝くじ種類識別番号が記録され、またカード識別番号記憶領域には会員番号（カード識別情報）が記録され、また会員情報記憶領域には会員情報（購入者識別情報）が記録され、また購入ルール記憶領域には購入ルール識別番号が記録され、また購入履歴記憶領域には購入履歴情報が記録される。
また、このリライト宝くじカードのカード面は上述したように文字を表示できるような仕組みになっているが、例えば、カード面に熱を加えると熱を加えた部分の色が変化する感熱方式によって文字を表示するものである。なお、文字の表示の仕組みはこの方式に限らない。
【００１６】
また、このリライト宝くじカードは発行を希望した会員に発行される。リライト宝くじカードが発行される際、会員は会員情報として氏名、住所、生年月日、メールアドレス、当せん金振込先の口座番号を発行者に対して提示してリライト宝くじカードの発行を受ける。また会員にはリライト宝くじカードと共にパスワードが通知される。そしてリライト宝くじカードの発行者は、予め、会員番号と会員情報とパスワードとを対応付けて宝くじ販売管理装置１の会員データベース１６に記録しておく。また、リライト宝くじカード発行時にメモリｍのカード識別情報領域に会員番号が記録され、会員情報記憶領域に氏名、住所、生年月日、メールアドレス、当せん金振込先の口座番号が記録されて当該カードが発行される。
【００１７】
次に、宝くじ販売時の宝くじ販売管理システムの処理について図３を用いて説明する。図３は宝くじ販売時の宝くじ販売管理システムの処理フローを示す図である。
まず、会員がリライト宝くじカードを宝くじ売り場端末２の挿入口へ挿入する。すると、宝くじ売り場端末２のカード情報読取部２３がリライト宝くじカードのメモリｍのカード識別情報領域から会員番号を読み取り、そして、宝くじ売り場端末２の送受信部２０が当該会員番号を通信ネットワーク４を介して宝くじ販売管理装置１へ送信する（ステップＳ１）。尚、この時、宝くじ売り場端末２の購入情報受付部２４が会員にパスワードの入力を求め、入力を受付けたパスワードと前記リライト宝くじカードから読み取った会員番号とを送受信部２０が宝くじ販売管理装置１へ送信するようにしてもよい。また、カード情報読取部２３は、会員番号の代わりにリライト宝くじカードのメモリｍから氏名や電話番号などの会員情報を読み取って、送受信部２０が会員情報とパスワードを宝くじ販売管理装置１へ送信するようにしても良い。
【００１８】
次に宝くじ販売管理装置１の受付管理部１１が、宝くじ売り場端末２から送信された会員番号が会員データベース１６に記録されているか否かに基づいて、宝くじを購入する人物が会員であるかどうかを確認する（ステップＳ２）。この時、受付管理部１１は、受付けた会員番号が会員データベース１６に記録されていれば、宝くじを購入する人物が会員であると判断する。なお受付管理部１１は、宝くじ売り場端末２から会員番号と共にパスワードを受付けた場合には、会員データベース１６を検索して、受付けた会員番号とパスワードが対応付けられて記録されているか否かを確認し、対応付けられていれば、宝くじを購入する人物が会員であると判断する。また、受付管理部１１は会員番号の代わりに会員情報を受付けた場合には、会員情報とパスワードの組合せが会員データベース１６に記録されている場合に、宝くじを購入する人物が会員であると判断する。そして、宝くじを購入する人物が会員であることを確認できた場合には、受付管理部１１は通信ネットワーク４を介して宝くじ売り場端末２に購入画面表示指示を通知する（ステップＳ３）。また宝くじを購入する人物が会員であると確認できない場合には受付管理部１１は通信ネットワーク４を介して宝くじ売り場端末２へエラーメッセージを表示するよう通知する（ステップＳ４）。
【００１９】
次に、宝くじ売り場端末２の情報受付部２４が、宝くじ販売管理装置１から購入画面表示指示を受け、表示部に購入画面を表示する（ステップＳ５）。そして、その購入画面において会員が宝くじ種類と抽せん番号を指定する。この指定は購入情報受付部２４が受付ける（ステップＳ６）。なお、抽せん番号は宝くじの組番号やユニット番号などを含むものであっても良い。そして、宝くじ売り場端末２の送受信部２０が会員から指定された宝くじ種類の識別番号と抽せん番号を通信ネットワーク４を介して宝くじ販売管理装置１へ送信する（ステップＳ７）。
【００２０】
次に、宝くじ販売管理装置１の受付管理部１１が、宝くじ売り場端末２から送信された宝くじ種類識別番号と抽せん番号とを受付ける。そして受付管理部１１は、受信した宝くじ種類識別番号に基づいて抽せん番号が適切か否かを判断するよう現物管理部１３へ指示する。次に、現物管理部１３は、受付管理部１１から宝くじ種類識別番号と抽せん番号とを受付ける。そして、現物管理部１３は、宝くじ種類識別番号に基づいて、販売する宝くじが普通宝くじなのか数字選択式宝くじなのかを判断する（ステップＳ８）。ここで現物管理部１３は、販売する宝くじが普通宝くじであると判定した場合には、宝くじデータベース１５が記憶する保管宝くじデータテーブルを検索して抽せん番号がデータとして存在するか否かを確認する（ステップＳ９）。
【００２１】
次に、現物管理部１３は、保管宝くじデータテーブルに抽せん番号が存在する場合には宝くじの販売が適切であると判断し、受付管理部１１から受付けた抽せん番号を販売する宝くじとして確定する（ステップＳ１０）。そして現物管理部１３は、宝くじデータベース１５から販売の確定した抽せん番号を消し込む（ステップＳ１１）。また現物管理部１３は、宝くじデータベース１５の記憶する宝くじ購入申し込みデータテーブルへ、確定した抽せん番号と会員番号と、宝くじ種類識別番号が示す宝くじの各種情報（ブロック、回別、抽せん日、支払期限）と、購入日と整理番号とを対応付けて記録する（ステップＳ１２）。また現物管理部１３は、宝くじの販売が適切でないと判断した場合にはエラーメッセージの送信を受付管理部１１に指示する。なお、宝くじ購入申し込みデータテーブルに記録されている確定した抽せん番号などの各種情報に基づいて、原本作成部１８は、後日宝くじ原本を作成する。この宝くじ原本は、例えば宝くじ券をマイクロフィルムに転写したものなどであり、この宝くじ原本を宝くじの発行者が保管（保護預り）しておく。
【００２２】
また現物管理部１３は、受付管理部１１から受付けた宝くじ種類識別番号に基づいて、販売する宝くじが数字選択式宝くじであると判定した場合には、当該宝くじ種類識別番号に基づいて、抽せん番号が選択できる番号であるか否かを判断する（ステップＳ１３）。例えば、数字選択式宝くじが１〜３１までの抽せん番号のうち異なる５個の数字を選ぶというルールの宝くじである場合には、抽せん番号が当該ルールに該当しているか否かを判断する。そして抽せん番号が選択できる番号であると判断した場合には、受付管理部１１から受付けた抽せん番号を販売する宝くじとして確定する（ステップＳ１４）。そして現物管理部１３は、宝くじデータベース１５が記憶する宝くじ購入申し込みデータテーブルへ、確定した抽せん番号と会員番号と、宝くじ種類識別番号が示す宝くじの各種情報（ブロック、回別、抽せん日、支払期限）と、購入日と整理番号とを対応付けて記録する（ステップＳ１５）。また現物管理部１３は、抽せん番号が選択できる番号でないと判断した場合にはエラーメッセージの送信を受付管理部１１に指示する。
【００２３】
次に抽せん番号を確定すると、現物管理部１３は、受付管理部１１に対して確定した抽せん番号と宝くじ種類識別番号と販売許可情報とを宝くじ売り場端末２へ送信するよう指示する。そして受付管理部１１は、抽せん番号と宝くじ種類識別番号と販売許可情報とを通信ネットワークを介して宝くじ売り場端末２に送信する（ステップＳ１６）。次に、宝くじ売り場端末２の送受信部２０が抽せん番号と宝くじ種類識別番号と販売許可情報とを受信し、表示書換え部２１がリライト宝くじカードのカード面に抽せん番号を書き込む（ステップＳ１７）。この時、前回会員が購入した宝くじの抽せん番号が表示されている場合には表示書換え部２１は抽せん番号を書き換える。また、情報書き込み部２２はリライト宝くじカードのメモリｍの宝くじ情報記憶領域に抽せん番号と宝くじ種類識別番号とを書き込む（ステップＳ１８）。ステップＳ１８において、会員が前回購入した宝くじの抽せん番号と宝くじ種類識別番号とが宝くじ情報記憶領域に記録されている場合には、情報書き込み部２２は、前回の抽せん番号と宝くじ種類識別番号とを、メモリｍの宝くじ情報記憶領域から購入履歴記憶領域に移し変えて、新しく販売する宝くじの抽せん番号と宝くじ種類識別番号をメモリｍの宝くじ情報記憶領域に書き込む。なお、この購入履歴記憶領域に記録されている抽せん番号や宝くじ種類識別番号を、例えば、会員のＰＣ（Ｐｅｒｓｏｎａｌ  Ｃｏｍｐｕｔｅｒ）などの備えられたカードリーダーを用いて読み取り、ＰＣの画面に表示できるようにしてもよい。
【００２４】
次に、当せん照合時の宝くじ販売管理システムの処理について図４を参照して説明する。図４は当せん照合時の宝くじ販売管理システムの処理フローを示す図である。
まず、会員がリライト宝くじカードを宝くじ売り場端末２に挿入する。すると、宝くじ売り場端末２のカード情報読取部２３はリライト宝くじカードのメモリｍのカード識別情報記憶領域から会員番号を読み取る。また購入情報受付部２４が会員よりパスワードの入力を受付ける。そして、宝くじ売り場端末２の送受信部２０が会員番号とパスワードとを通信ネットワーク４を介して宝くじ販売管理装置１へ送信する（ステップＳ１９）。なお、カード情報読取部２３はリライト宝くじカードのメモリｍから会員番号の代わりに氏名や電話番号などの会員情報を読み取って、ステップＳ１９において、送受信部２０が、会員情報とパスワードとを宝くじ販売管理装置１へ送信するようにしてもよい。
【００２５】
次に宝くじ販売管理装置１の受付管理部１１は、宝くじ売り場端末２から送信された会員番号とパスワードの組合せが会員データベース１６に記録されているか否かを判定し、宝くじの当せん照合をする人物が会員であるかどうかを確認する（ステップＳ２０）。ここで宝くじ販売管理装置１の受付管理部１１は会員番号とパスワードの組合せが会員データベース１６に記録されている場合には、宝くじの当せん照合をする人物が会員であると判断する。尚、受付管理部１１は会員番号の代わりに会員情報を受付けた場合には、会員情報とパスワードの組合せが会員データベース１６に記録されている場合に、宝くじの当せん照合をする人物が会員であると判断する。そして、宝くじの当せん照合をする人物が会員であることを確認すると、受付管理部１１は、通信ネットワーク４を介して宝くじ売り場端末２に当せん照合開始のボタンを表示するよう指示する（ステップＳ２１）。また宝くじの当せん照合をする人物が会員であることを確認できない場合には受付管理部１１は通信ネットワーク４を介して宝くじ売り場端末２エラーメッセージを表示するよう通知する（ステップＳ２２）。
【００２６】
次に宝くじ売り場端末２は、表示部に当せん照合開始のボタンを表示する（ステップＳ２３）。会員がその当せん照合開始のボタンを押すと、情報受付部２４がカード情報読取部２３に抽せん番号と宝くじ種類識別番号の読み取りを指示し、カード情報読取部２３がリライト宝くじカードのメモリｍの宝くじ情報記憶領域から抽せん番号と宝くじ種類識別番号を読み取り、そして送受信部２０が当該抽せん番号と宝くじ種類識別番号とを宝くじ販売管理装置１へ送信する（ステップＳ２４）。
【００２７】
次に、宝くじ販売管理装置１の受付管理部１１は、抽せん番号と宝くじ種類識別番号とを受信すると、当せん管理部１２へ当せん確認を行うよう指示する。すると当せん管理部１２は宝くじ種類識別番号で示される宝くじの当せん結果データテーブル（宝くじデータベース１５が記憶している）を検索する。そして当せん管理部１２は、受付管理部１１が宝くじ売り場端末２から受信した抽せん番号と会員番号とが、当せん結果データテーブルに対応付けられて記録されているか否かに基づいて、当せんを判断する（ステップＳ２５）。そして、当せん結果データテーブルに抽せん番号と会員番号とが対応付けられて記録されていれば会員の購入した抽せん番号が当せんであると判断する。
【００２８】
次に会員の購入した抽せん番号が当せんしている場合には当せん管理部１２は受付管理部１１に会員の口座番号を通知するよう指示する。そして受付管理部１１が宝くじ売り場端末２に口座番号通知要求を送信する（ステップＳ２６）。次に、口座番号通知要求を受信すると宝くじ売り場端末２のカード情報読取部２３がリライト宝くじカードのメモリｍの会員情報記憶領域から会員の口座番号を読み取り、そして宝くじ売り場端末２の送受信部２０が、その口座番号を宝くじ販売管理装置１に送信する（ステップＳ２７）。そして宝くじ販売管理装置１の受付管理部１１が口座番号を受信し、当せん管理部１２に通知する。次に当せん管理部１２は当せんした抽せん番号から当せん金額を算出し（ステップＳ２８）、当該当せん金額と受付管理部１１から受信した口座番号を決済管理部１４に送信する。
【００２９】
次に、決済管理部１４は受付管理部１１から受信した口座番号と当せん金額を用いて、振り込み処理の指示を電子決済サーバ３に通知する（ステップＳ２９）。そして電子決済サーバ３は会員の口座に当せん金額を振り込む処理を行なう（ステップＳ３０）。そして電子決済サーバ３は宝くじ販売管理装置１の決済管理部１４に振り込み完了を通知する（ステップＳ３１）。振り込み完了の通知を受けた決済管理部１４は、宝くじデータベース１５で記憶する当せん結果データテーブルの支払済みフラグを１に変更する（ステップＳ３２）。そして、決済管理部１４は受付管理部１１に当せん金支払完了の通知を指示し、受付管理部１１が宝くじ売り場端末２に当せん金支払完了を通知する（ステップＳ３３）。また宝くじ売り場端末２の情報受付部２４が表示部に当せん金支払完了メッセージを表示する。
尚、本実施形態においては会員の口座に当せん金額を振り込む処理のフローを説明したが、例えば宝くじ売り場や銀行などで当せん金額を会員に支払うようにしても良い。
また、宝くじ売り場端末２は自動販売機のような装置や、銀行に設置されているＡＴＭ（Ａｕｔｏｍａｔｅｄ  Ｔｅｌｌｅｒ  Ｍａｃｈｉｎｅ）であってもよい。
【００３０】
図５は宝くじ購入申し込みデータテーブルを示す図である。この図が示すように、宝くじ購入申し込みデータテーブルはブロック、回別、整理番号、購入日、抽せん日、支払期限、購入番号、会員番号が対応付けられて記録されている。なお、ブロック番号は販売地域を特定する番号である。また回別は、宝くじの販売回数を表す番号である。また整理番号は宝くじの販売ごとに振られる番号である。
また図６は当せん結果データテーブルを示す図である。この図が示すように当せん結果データテーブルはブロック、回別、整理番号、支払期限、等級、当せん金、購入番号、会員番号、支払済みフラグが対応付けられて記録されている。なお、等級は当せんの等級を示しており、また支払済みフラグは当せん金額の振り込み処理を行なったか否かを示す情報である。
【００３１】
次に、リライト宝くじカードが記憶する購入ルール識別番号に基づいて宝くじの販売が行われる際の宝くじ販売管理装置の処理について説明する。
まず、会員は毎回同じ購入ルールで宝くじを購入することができる。例えば、リライト宝くじカードに既に購入ルール識別番号が記録されている場合には、上述のステップＳ６で宝くじ種類と抽せん番号の指定を受付ける代わりに、宝くじ売り場端末２のカード情報読取部２３が、リライト宝くじカードのメモリｍの購入ルール記憶領域から購入ルール識別番号を読み取り、送受信部２０が宝くじ販売管理装置１に送信する。そして、現物管理部１３が購入ルールデータベース１７から購入ルール識別番号に対応する購入ルールを読み取って、その購入ルールに基づく抽せん番号を確定し、宝くじ売り場端末２に送信する。
【００３２】
ここで、購入ルールは、例えば、（１）オッズが一番高い番号、（２）出現回数が多い番号、（３）出現回数が少ない番号、（４）クイックピック（抽せん番号の自動ランダム生成）などの購入ルールが存在する。なお、この購入ルールのうち、（４）クイックピックの場合にのみ購入ルールデータベース１７に購入ルールのデータが記録されておらず、プログラムによって、ランダムな抽せん番号が自動生成される。そして抽せん番号を自動生成するプログラムは、現物管理部１３が記憶し、また実行する。
【００３３】
「（１）オッズが一番高い番号」という購入ルールのデータは、購入ルール識別番号とオッズが一番が高い抽せん番号とを対応付けたデータであり、このデータが購入ルールデータベース１７に記録される。そして、宝くじ売り場端末２から受信した購入ルール識別番号が「（１）オッズが一番高い番号」の購入ルールを示す場合には現物管理部１３は購入ルールデータベース１７から購入ルール識別番号に対応付けられて記録されているオッズが一番高い抽せん番号を読み取って、当該読み取った抽せん番号を、販売する宝くじの抽せん番号として確定する。
【００３４】
また、「（２）出現回数が多い番号」という購入ルールのデータは、購入ルール識別番号と出現回数（当せんとなった回数）が多い抽せん番号とを対応付けたデータであり、このデータが購入ルールデータベース１７に記録される。そして、宝くじ売り場端末２から受信した購入ルール識別番号が「（２）出現回数が多い番号」の購入ルールを示す場合には現物管理部１３は購入ルールデータベース１７から購入ルール識別番号に対応付けられて記録されている出現回数が多い抽せん番号を読み取って、当該読み取った抽せん番号を、販売する宝くじの抽せん番号として確定する。
【００３５】
また、「（３）出現回数が少ない番号」という購入ルールのデータは、購入ルール識別番号と出現回数（当せんとなった回数）が少ない抽せん番号とを対応付けたデータであり、このデータが購入ルールデータベース１７に記録される。そして、宝くじ売り場端末２から受信した購入ルール識別番号が「（３）出現回数が少ない番号」の購入ルールを示す場合には現物管理部１３は購入ルールデータベース１７から購入ルール識別番号に対応付けられて記録されている出現回数が少ない抽せん番号を読み取って、当該読み取った抽せん番号を、販売する宝くじの抽せん番号として確定する。
また、宝くじ売り場端末２から受信した購入ルール識別番号が「（４）クイックピック」の購入ルールを示す場合には現物管理部１３は抽せん番号を自動生成するプログラムを実行して抽せん番号を確定する。
なお、リライト宝くじカードはメモリｍの購入ルール記憶領域に購入ルール識別番号の変わりに購入ルールのデータ自体を記憶しておいても良い。
【００３６】
上述の宝くじ販売管理装置や宝くじ売り場端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
【発明の効果】
以上説明したように、この発明によれば、カード情報読取手段がカードの識別情報記憶部からカード識別情報または購入者識別情報のいずれかを読み取り、抽せん番号確定手段が販売する宝くじの抽せん番号を確定する。そして、販売宝くじ記憶手段が読み取ったカード識別情報または購入者識別情報と確定した抽せん番号とを対応付けて記憶し、カード面書換え手段がカード面を、確定した抽せん番号に書き換える。そして抽せん番号記録手段が確定した抽せん番号をカードの抽せん番号記憶部へ記録する。
これにより、カードの抽せん番号記録手段に抽せん番号が記録され、またカード面に抽せん番号が書き込まれるので、宝くじ原本ではなく宝くじのデータを会員に渡す事により宝くじを販売することができ、宝くじ券を製造する必要が無くなる。また、ハズレ宝くじ券などのゴミを出さなくて済み、紙の無駄を減らすことができる。
【００３８】
また本発明によれば、購入者情報記憶手段がカード識別情報または購入者識別情報と認証情報とを対応付けて記憶し、利用受付手段が、カード識別情報または購入者識別情報と認証情報とが購入者情報記憶手段に対応付けられて記録されている場合にカードを用いた宝くじの販売または宝くじの当せん確認の何れかの利用を受付ける。これにより、カードを利用して宝くじの販売または宝くじの当せん確認を行なう購入者の認証を行うことができる。
【００３９】
また本発明によれば、カードが購入ルールまたは購入ルール識別情報の何れかを記憶したルール情報記憶部を有し、宝くじ情報販売システムにおいて、抽せん番号確定手段が購入ルールまたは購入ルール識別番号の何れかに基づいて抽せん番号を確定する。これにより、カードに購入ルールまたは購入ルール識別情報を記録させておくことで、購入者は宝くじを何度も購入する際に、どの宝くじのどの抽せん番号を買うかなどの情報を指定しなくてよい。
【００４０】
また本発明によれば、宝くじ情報販売システムが、確定した抽せん番号に基づいて宝くじ券の原本を作成する原本作成手段を備える。これにより、宝くじ原本を購入者に渡すことなく宝くじの販売を行うことができる。
また本発明によれば、宝くじ売り場端末と宝くじ販売管理装置とが通信ネットワークを介して接続され、宝くじ情報販売システムにおいて、宝くじ売り場端末がカード情報読取手段とカード面書換え手段と抽せん番号記録手段とを備え、宝くじ販売管理装置が抽せん番号確定手段と販売宝くじ記憶手段とを備える。これにより、例えば各地に点在する宝くじ売り場端末で販売された宝くじの情報を宝くじ販売管理装置で管理する事ができる。
【図面の簡単な説明】
【図１】この発明の一実施形態による宝くじ情報販売システムの構成を示す概略ブロック図である。
【図２】本発明の発明の一実施形態によるリライト宝くじカードのカード面を示す図である。
【図３】本発明の発明の一実施形態による宝くじ販売時の宝くじ販売管理システムの処理フローを示す図である。
【図４】本発明の発明の一実施形態による当せん照合時の宝くじ販売管理システムの処理フローを示す図である。
【図５】本発明の発明の一実施形態による宝くじ購入申し込みデータテーブルを示す図である。
【図６】本発明の発明の一実施形態による当せん結果データテーブルを示す図である。
【符号の説明】
１  宝くじ販売管理装置
２  宝くじ売り場端末
３  電子決済サーバ
４  通信ネットワーク
１１  受付管理部
１２  当せん管理部
１３  現物管理部
１４  決済管理部
１５  宝くじデータベース
１６  会員データベース
１７  購入ルールデータベース
１８  原本作成部
２０  送受信部
２１  表示書換え部
２２  情報書き込み部
２３  カード情報読み取り部
２４  購入情報受付部
【図１】
2004355571.tif 000003
【図２】
2004355571.tif 000004
【図３】
2004355571.tif 000005
【図４】
2004355571.tif 000006
【図５】
2004355571.tif 000007
【図６】
2004355571.tif 000008